(57)【特許請求の範囲】
【請求項１】
上下に開口したホッパ−５０の下側に外周に繰出溝５５ａが形成されたロ−ル形状の繰出ロ−ル５５を回転可能に内装した繰出装置５１を連結し、該繰出装置５１の下側に肥料移送管５２を連結した施肥装置５を装着した施肥田植機において、前記繰出ロ−ル５５を機体前後方向に軸心が向く繰出ロ−ル軸５５ｆに取り付けて前記繰出装置５１を複数個左右横並びに配設し、繰出装置５１の後側に設けた駆動側ギヤ５７ａの前側部分に繰出ロ−ル５５と一体回転する従動側ギヤ５５ｇを噛み合わせて繰出ロ−ル５５へ伝動する構成とし、開口部ＤＳを各繰出装置５１に設けて繰出ロ−ル５５を前側へ移動させて前記開口部ＤＳから抜き取り可能に構成すると共に、繰出ロ−ル５５の前側への移動で従動側ギヤ５５ｇを駆動側ギヤ５７ａから離して非噛み合い状態に切替可能に構成したことを特徴とする施肥田植機。
【発明の詳細な説明】
【０００１】
【産業上の利用分野】
この発明は、苗を植え付けるとともに施肥を行う施肥田植機に関する。
【０００２】
【従来の技術】
従来、特開昭６１−１１１６１７号公報に、上下に開口したホッパ−の下側に外周面に繰出溝が形成されたロ−ル形状の繰出ロ−ルを回転可能に内装した繰出装置を連結し、該繰出装置の下側に肥料移送管を連結した施肥装置を装着し、前記繰出装置を複数個左右横並びに配設するとともに、各繰出装置内の繰出ロ−ルを機体左右方向に向く軸に取り付けた施肥田植機が開示されている。そして、この施肥田植機においては、繰出装置内の繰出ロ−ルを抜き取ってメンテナンスを行うときは、繰出ロ−ルが取り付けられた左右方向に向く軸に沿って前記繰出ロ−ルを繰出装置内から機体左右方向に抜き取るようになっている。
【０００３】
【発明が解決しようとする課題】
従来の施肥田植機では、繰出装置内の繰出ロ−ルを機体左右方向に抜き取るようになっているので、隣接する繰出装置とに挟まれた狭い空間へ繰出ロ−ルを抜き取ることになり、その抜取り作業が非常にやりにくかった。
【０００４】
【課題を解決するための手段】
上記課題を解決するために、この発明は、上下に開口したホッパ−５０の下側に外周に繰出溝５５ａが形成されたロ−ル形状の繰出ロ−ル５５を回転可能に内装した繰出装置５１を連結し、該繰出装置５１の下側に肥料移送管５２を連結した施肥装置５を装着した施肥田植機において、前記繰出ロ−ル５５を機体前後方向に軸心が向く繰出ロ−ル軸５５ｆに取り付けて前記繰出装置５１を複数個左右横並びに配設し、繰出装置５１の後側に設けた駆動側ギヤ５７ａの前側部分に繰出ロ−ル５５と一体回転する従動側ギヤ５５ｇを噛み合わせて繰出ロ−ル５５へ伝動する構成とし、開口部ＤＳを各繰出装置５１に設けて繰出ロ−ル５５を前側へ移動させて前記開口部ＤＳから抜き取り可能に構成すると共に、繰出ロ−ル５５の前側への移動で従動側ギヤ５５ｇを駆動側ギヤ５７ａから離して非噛み合い状態に切替可能に構成したことを特徴とする施肥田植機とした。
【０００５】
【発明の作用及び効果】
この発明の施肥田植機は、繰出ロ−ル５５を機体前後方向に軸心が向く繰出ロ−ル軸５５ｆに取り付けて繰出装置５１を複数個左右横並びに配設するとともに、繰出装置５１の後側に設けた駆動側ギヤ５７ａの前側部分に繰出ロ−ル５５と一体回転する従動側ギヤ５５ｇを噛み合わせて繰出ロ−ル５５へ伝動する構成とし、開口部ＤＳを各繰出装置５１に設けて繰出ロ−ル５５を前側へ移動させて前記開口部ＤＳから抜き取り可能に構成したので、繰出装置５１内の繰出ロ−ル５５を抜き取ってメンテナンスを行うとき、開口部ＤＳから繰出装置５１の前側の開放された空間へ繰出ロ−ル５５を抜き取ることになり、その抜取り作業が非常にやりやすくなって、メンテナンス時の作業性が向上する。また、繰出ロ−ル５５の前側への移動で従動側ギヤ５５ｇを駆動側ギヤ５７ａから離して非噛み合い状態に切替可能に構成したので、繰出装置５１の繰出作動の停止を簡単に行える。
【０００６】
【実施例】
この発明の一実施例を図面に基づき説明する。
乗用田植機１は、走行車体２の後側に昇降作動する昇降リンク装置３を介して苗移植機４が装着されて構成されている。また、走行車体２の後部側に施肥装置５が配設されている。
【０００７】
走行車体２は、左右一対の操舵用の駆動回転する前輪６・６と左右一対の駆動回転する後輪７・７を備えている。また、前側にミッション８が配され、そのミッション８の左右側部から前輪アクスルフレ−ム９・９が固着され、そのフレ−ム９・９の両端部に前輪ファイナルケ−ス１０・１０が連結されて、そのケ−ス１０・１０下側から外側に突出する前輪車軸に前輪６・６が取り付けられている。ミッション８内の動力が、前輪アクスルフレ−ム９・９、前輪ファイナルケ−ス１０・１０内の伝動機構により伝達され、前輪６・６が駆動回転する。また、ミッション８の後側部にフレ−ム１１・１１の前端部が固着している。フレ−ム１１・１１の後端部は横フレ−ム１２に固着し、その横フレ−ム１２の中央部の軸受部に後輪フレ−ム１３の左右中央部に前後水平に軸心を向けて固着した後輪ロ−リング軸１３ａが嵌合している。後輪フレ−ム１３の左右に端部に後輪ギヤケ−ス１４・１４が固着し、その後輪ギヤケ−ス１４・１４の外側部から横に突出する後輪車軸に後輪７・７が取り付けられている。よって、ミッション８とフレ−ム１１・１１、横フレ−ム１２で構成される車体フレ−ムに対し、後輪７・７が取り付けられている後輪フレ−ム１３が後輪ロ−リング軸１３ａ回りにロ−リングできるようになっている。ミッション８内の動力がその後側部から左右の後輪ギヤケ−ス１４・１４に後輪伝動軸１４ａ・１４ａで伝動され、後輪７・７が駆動回転される。また、ミッション８への動力入力は、フレ−ム１１・１１上に支持したエンジンＥから第１ベルト伝動装置１５（１５ａ：エンジン側プ−リ−、１５ａ’：エンジン出力軸、１５ｂ：油圧ポンプ側プ−リ−、１５ｂ’：油圧ポンプ駆動軸、１５ｃ：伝動ベルト）でミッション８上に固設した油圧ポンプＰに一旦伝動され、そこからミッション８の入力軸に無段変速式の第２ベルト伝動装置１６（１６ａ：油圧ポンプ側割プ−リ−、１６ｂ：ミッション側割プ−リ−、１６ｂ’：ミッション入力軸、１６ｃ：伝動ベルト。両割プ−リ−１６ａ・１６ｂは副変速レバ−２７にて背反的にプ−リ−幅が調節されるようになっている。）で高低速無段階で変速可能に伝動される。また、苗移植機４への伝動は、ミッション８の右側部から後方に向けて突出させた植付施肥駆動軸２４に第一伝動軸２５が連結し、その後端がリンクベ−スフレ−ム３１に取り付けられた植付施肥クラッチケ−ス２６の入力軸に連結する。植付施肥クラッチケ−ス２６内に入力された動力は、苗移植機４への伝動を断続する植付クラッチを経て植付施肥クラッチケ−ス２６の後側部に突出する植付駆動軸２６ａに伝動し、また、施肥装置５への伝動を断続する施肥クラッチを経て植付施肥クラッチケ−ス２６の後側部に突出する施肥駆動軸２６ｂに伝動する。そして、植付駆動軸２６ａから植付伝動軸２７を介して苗移植機４の植付伝動ケ−ス４０の入力軸に伝動し、施肥駆動軸２６ｂからは駆動ア−ム２８、クランクロッド２９、クランクア−ム３０を介して施肥装置５の施肥伝動軸５７に伝動する。
【０００８】
尚、エンジンＥに取り付けられたオルタネ−タＧにはエンジンＥの第２出力軸から第３ベルト伝動装置１７により伝動され、そこで発電された電気は、施肥装置５の肥料搬送用の圧風を起こすブロア５３のモ−タ−Ｍに接続されブロアが電動するようになっている。
また、走行車体２には、その前部に前輪６、６を操向するハンドル１８が設けられ、エンジンＥの上側を覆うエンジンカバ−１９の上に座席２０が取り付けられている。また、座席２０及びハンドル１８の周囲下側にはステップフロア２１が水平状に設けられていて、機体の左右両側において前端側から後部側にわたって操縦者或は他の作業者が自在に移動することができ、また、右側と左側との間を自在に移動することができる。機体の乗り降りも機体の左右に固設された昇降ステップ２２、２２からだけではなく、機体前端左右側からフロア２１上に乗り降りできる。更に、ハンドル１８の下側はポストカバ−２３で覆われ、そのポストカバ−２３の上部には各種作動状態を表示する表示パネル部が設けられている。また、その表示パネル部およびその周辺には、左側に主変速レバ−と後輪デフロックレバ−、右側に副変速レバ−、アクセルレバ−が配設されている。尚、ポストカバ−２３の下側後側には操縦者が足で踏み込んで操作するペダルが設けられ、左側にはクラッチペダル、右側には後輪サイドクラッチ・ブレ−キペダルが設けられ、更に座席２０の前側フロア部上に前輪デフロックペダルが設けられいる。また、左右の前輪アクスルフレ−ム９・９の上部に固着された支持フレ−ム６１ａ・６１ａに補給用の苗を上下多段に載せる予備苗載台６１…・６１…が取り付けられている。
【０００９】
昇降リンク装置３は、フレ−ム１１・１１の後側に固着されたリンクベース３１に回動自在に取り付けられた上リンク３２および下リンク３３・３３を備え、これら上下リンクの後端部に縦リンク３４が連結されている。そして、縦リンク３４の下端部から後方に突出する軸受部に苗移植機４の伝動ケース４０に固着の連結軸４０ａが回動自在に連結して、苗移植機４が進行方向に対して左右に回動（ロ−リング）自在に装着される。エンジンＥ下方でフレーム１１・１１に固着の支持部材に油圧シリンダ３５の基部側を枢支し、ピストンロッド側を上リンク３１の基部に一体で下向きに延びるスイングアーム３１ａの先端部にスプリングを介して連結している。油圧シリンダ３５を伸縮作動させると昇降リンク装置３が昇降作動し、苗移植機４が昇降するようになっている。この油圧シリンダ３５は油圧バルブ３６によって切り換え作動する。
【００１０】
苗移植機４は、６条植えの構成になっていて、平面視Ｅ字状の伝動ケース４０が苗移植機４のフレームを兼ね、該伝動ケース４０の上側に前側が上位となるよう傾斜して苗載台４１が設けられている。この苗載台４１は伝動ケ−ス４０内の左右往復移動機構と連結して左右に往復移動するようになっている。また、伝動ケース４０の後端部に植付条数分の植付装置４２…を備え、苗載台４１が左右に往復動して台上の苗を該苗載台の下端側に設けた苗受け枠４１ａの苗取出口に順次供給しつつ、植付装置４２…の植付具４３…が所定の軌跡を描きながら回転して、前記苗取出口に供給された苗を植付具４３…の植付爪が保持し、その保持した苗を圃場に達したとき押し出して植え付けるようになっている。また、苗載台２１の各条苗載面下位側にはベルト式の苗縦送り装置４４が設けられていて、苗載台４１が左右方向に移動して、植付装置４２…が苗載面上に載せられた苗の下端部を一列分移植し終えると、次に移植されていく下端部を苗取り口上に位置するよう苗を移送する。また、苗移植機４の下部には、中央にセンターフロート４５、左右に一対のサイドフロート４６・４６が、それぞれ前端部側が上下動するよう後部が枢支されて取り付けられている。センターフロート４５は、圃場面の凹凸を検出するセンサでもあり、このセンサーフロート４５の前端部側の上下動に応じて油圧バルブ３６が作動するようになっている。即ち、センターフロート４５が上動すると油圧シリンダ３５を伸ばす方向に油圧バルブ３６が作動され、逆にセンターフロート４５が下動すると油圧シリンダ３５を縮める方向に油圧バルブ３６が作動されるものである。また、各フロート４５・４６・４６には、各条の苗植付位置の左右近傍位置に施肥用の溝を形成する作溝器４７…が取り付けられている。
【００１１】
施肥装置５は、各植付位置に左右近傍に施肥する側条施肥装置で、まず、肥料を収容するホッパ−５０とそのホッパ−の下側に取り付けられる繰出装置５１…を、前後方向に対して苗移植機４の前側で走行車体２の座席２０の後側に位置させ、且つ施肥個所と同数の繰出装置５１…（ここでは６条植えに対応して６体の繰出装置が設けられる）が左右に一列に横並びに設けている。そして、繰り出された肥料を作溝器４７…の後側に導く施肥ホ−ス５２…を各繰出装置５１…にそれぞれ連結する。更に、ブロア５３とそのブロアからの圧風を一時的に貯えて施肥ホ−ス５２…の上端部へ送るエア−チャンバ−５４とが備えられて、施肥ホ−ス５２…内に圧風を送りその圧風により肥料が強制的に移送されるようになっている。
【００１２】
以下、施肥装置５の各部の構成を説明する。
ホッパ−５０は、左右に長い箱状のホッパ−で、その内側は各条ごとに仕切られていない。ホッパ−上部は全体が上方に開放した肥料投入口５０ａが設けられ、その肥料投入口５０ａには後側軸回りに回動させて開閉可能な蓋５０ｂが取り付けられている。ホッパ−底部は、その下側に取り付けられた各繰出装置５１…の肥料流入口５１ａに連通する肥料落流下口５０ｃ…が設けられ、その肥料落流下口５０ｃ…に向かって肥料が流れ落ちるように傾斜している。尚、蓋５０ｂの枢支部内側には、帯状のシ−ト５０ｄが取り付けられていて、蓋５０ｂを後側が高位になる姿勢に開けて肥料を投入するとき、投入された肥料が蓋５０ｂ上に落ちてもシ−ト５０ｄによりその肥料はホッパ−内へ流れ落ちていく。
【００１３】
繰出装置５１は、上部に肥料流入口５１ａ、下部に肥料繰出口５１ｂを設けた繰出ケ−ス５１’内に定量づつ肥料を上から下へ繰り出す繰出ロ−ル５５が内装されている。繰出装置ケ−ス５１’は、その上部がホッパ−５０の底部と連結して、繰出装置ケ−ス５１’の肥料流入口５１ａとホッパ−５０の肥料流下口５０ｃとが連通状態となっている。また、下部には漏斗５１ｃが取付けられ、肥料繰出口５１ｂから繰り出されて落ちてくる肥料をその漏斗５１ｃが受けるようになっている。繰出ロ−ル５５は、肥料流入口５１ａに入り込んだ肥料が下側の肥料繰出口５１ｂに流れ落ちるのを堰き止めるように繰出ケ−ス５１’に組み込まれている。そして、繰出ロ−ル５５の外周には、軸心Ｘ方向に並行する繰出溝５５ａ…が複数個所に一定間隔で設けられて、その繰出溝５５ａ…内に肥料流入口５１ａに入り込んだ肥料が入り込んだ状態で繰出ロ−ル５５が回転すると、繰出溝５５ａ…内に保持された肥料が下側に移送され肥料繰出口５１ｂへ落下するようになっている。また、繰出ロ−ル５５が下方に向かって回動する側には、ブラシ５１ｄが繰出ロ−ル５５の外周面に摺接するように着脱自在に組み付けられている。これにより、繰出ロ−ル５５の繰出溝５５ａ…に入り込んだ肥料は、繰出ロ−ル５５の回転により移送されるとき、そのブラシ５１ｄによりそがれて肥料が定量づつ繰り出されるようになっている。尚、漏斗５１ｃの下部は横向き筒状のホ−ス取付部５１ｃ’が一体的に形成されていて、そのホ−ス取付部５１ｃ’の後端口には施肥ホ−ス５２が嵌合し、前端口はエア−チャンバ−５４のエア−吹出し口に挿入して連結している。
【００１４】
ブラシ５１ｄは、ノブ付きボルトで繰出装置ケ−ス５１’内に締め付け固定されており、取外すときは繰出装置ケ−ス５１’の左右一方側の側部に設けられた蓋５１ｅを開き、前記ボルトを緩めれば容易に取り外すことができる。このとき、蓋５１ｅを開くとともに、その蓋５１ｅの内側に取り付けられた肥料取出しプレ−ト５１ｆが肥料繰出口５１ｂへの肥料の流下を妨げない位置から肥料繰出口５１ｇへの肥料の流下を阻止する位置に移動するので、肥料繰出口５１ｂに肥料を流すことなくホッパ−５０内の肥料を蓋５１ｅが開かれて開放された肥料取出し口５１ｇから取り出すことができる。肥料取出し口５１ｇから抜き落される肥料は、繰出装置５１…の間に取り付けられる樋５６…上に流れ落ちる。樋５６…は、前側が下位になるように傾斜して設けられているので、その下端部に肥料を受け入れる袋の口を持っていけば、ホッパ−５０内の肥料は袋に戻すことができる。尚、各条の繰出装置５１…は、２条ごとに互いに接近した状態で配設され、それにより繰出装置５１…間の間隔が広くなった側に肥料取出し口５１ｇ…が設けられ、また、左右端位置の繰出装置５１・５１の肥料取出し口５１ｇ・５１ｇはそれぞれ左右外側に設けられている。
【００１５】
施肥ホ−ス５２…は、繰出装置５１…の漏斗５１ｃ…下部に一体的に設けられたホ−ス取付部５１ｃ’…から作溝器４７…の後側に設けた施肥ガイド部４７ａ…を繋ぐように設けられた可撓性の肥料移送用導管である。尚、このホ−ス５２…の下端口と施肥ガイド部４７ａ…との連結部は伸縮自在の蛇腹状連結部材５２ａで連結していて、施肥ホ−ス５２…がフロ−ト４５・４６・４６の上下動の抵抗にならないようになっている。
【００１６】
ブロア５３は、電動モ−タ−で送風ファンが駆動回転する構成で、その圧風吹き出し口５３ａをエア−チャンバ−５４の左右一端部の圧風吹込み口５４ａに連結させて、エア−チェンバ−５４の長手方向に圧風が吹き込むように取付けられている。また、ブロア５３の吸い込み口５３ｂにはダクト５３ｃが取り付けられ、エンジンカバ−１９内の暖気を吸い込むようになっている。尚、エア−チェンバ−５４の圧風吹込み口５４ａ側とは反対側の開口部５４ｂは着脱可能な蓋５４ｃで塞がれている。また、エア−チャンバ−５４は、左右に長い鉄パイプで構成されていて、リンクベ−ス３１の上部に固着されている。このエア−チャンバ−５４に各条の繰出装置５１…が取り付け支持されている。また、エア−チャンバ−５４の左右両端側の前側部にはサイドステップ６０・６０が下方に折り畳み可能に取り付けられている。
【００１７】
ところで、繰出装置５１の繰出ロ−ル５５は、機体前後方向に向かう軸心Ｘ回りに回動するように設けられている。また、その繰出ロ−ル５５は、外周に軸心Ｘ方向に並行する繰出溝５５ａ…が形成された駆動ロ−ル５５ｂと、各繰出溝５５ａ…に係合する溝係合部５５ｃ…がクシ歯状に形成された溝長さ調節ロ−ル５５ｄとで構成されている。溝長さ調節ロ−ル５５ｄには、繰出量調節ダイヤル５５ｅが回動自在且つ軸方向には一体的に摺動するように取り付けられ、その繰出量調節ダイヤル５５ｅが溝長さ調節ロ−ル５５ｄとともに繰出ケ−ス５１’の側部に組み付けられる側面視Ｅ字状の繰出量調節側支持部５１’ａのダイヤル軸部５１’ｂに係合される。ダイヤル軸部５１’ｂの外周はネジ加工されていて、繰出量調節ダイヤル５５ｅはそのネジに捩じ込まれて係合する。また、繰出ケ−ス５１’の凹んだ後側壁に設けた軸孔から前側に向けて繰出ロ−ル軸５５ｆが組み込まれる。この繰出ロ−ル軸５５ｆは、後端部にベベルギヤ部５５ｇが一体形成されている。繰出ロ−ル軸５５ｆの前側には、繰出ケ−ス５１’内において、まず、駆動ロ−ル５５ｂがキ−を介して一体回転するよう嵌合し、次に、溝長さ調節ロ−ル５５ｄと繰出量調節ダイヤル５５ｅとが取り付けられた繰出量調節側支持部５１’ａがそのダイヤル軸部５１’ｂに設けられた繰出ロ−ル軸孔に繰出ロ−ル軸５５ｆを挿通させて取り付ける。繰出ロ−ル軸５５ｆは、繰出量調節側支持部５１’ａの外側部に突出し、その突出部に止め輪ＳＲ１が嵌められる。繰出量調節側支持部５１’ａは、その上部と下部に後方に向けて突出する係合部５１’ｃ・５１’ｃが繰出ケ−ス５１’前側部の上下に形成した係合ガイド５１’ｄ・５１’ｄに嵌入させて組み付けられる。
【００１８】
よって、メンテナンス等で繰出ロ−ル５５を繰出ケ−ス５１’内から抜き取るときは、繰出ロ−ル軸５５ｆの前端部に嵌められている前記止め輪ＳＲ１、ワッシャＷ１を外した後、繰出量調節側支持部５１’ａを前方に引き出す。このようにするだけで、繰出量調節ダイヤル５５ｅと溝長さ調節ロ−ル５５ｄ、そして駆動ロ−ル５５ｂを簡単に、繰出ロ−ル軸５５ｆに沿って引き抜くことができる（図７参照）。尚、図７に示すように、繰出ケ−ス５１’前側部に組み込まれた後述するダストシ−ルＤＳの内径部分が、繰出ロ−ル５５を機体前方向に抜き取るための開口部となる。
【００１９】
尚、繰出ロ−ル軸５５ｆのベベルギヤ５５ｇと繰出ケ−ス５１’の後側壁の間にはコイルスプリングＳＰが介装されている。また、繰出ケ−ス５１’前側部と溝長さ調節ロ−ル５５ｄの間にはその隙間を塞ぐようにダストシ−ルＤＳが組み込まれている。更に、繰出ロ−ル５５の前後に仕切り部材５６・５６が外嵌する状態でケ−ス５１’内に固定されて設けられ、その仕切り部材５６・５６により繰出ケ−ス５１’内での肥料の通路が前後に仕切られる。
【００２０】
また、繰出ロ−ル５５の繰出溝５５ａ…の溝長さの調節は、繰出量調節ダイヤル５５ｅを回動操作することで可能となり、それにより肥料繰出量の調節が可能となる。即ち、繰出量調節ダイヤル５５ｅはダイヤル軸部５１’ｂのネジに沿って回動すると軸方向に移動し、それとともに溝長さ調節ロ−ル５５ｄが軸方向に移動し、繰出溝５５ａ…の溝長さが変わる。尚、駆動ロ−ル５５ｂは、ダイヤル軸部５１’ｂの内端部と駆動ロ−ル５５ｂの後側に嵌められた止め輪ＳＲ２より軸方向には摺動不能に組まれている。また、繰出ロ−ル５５が回転するときに摩擦により繰出量調節ダイヤル５５ｅが連れ回りしないように、繰出量調節側支持部５１’ａに固定された板バネＳＴが繰出量調節ダイヤル５５ｅの外周歯に係合するように設けられている。尚、板バネＳＴは大きく撓めばダイヤル５５ｅの外周歯を乗り越えられるように設けられていて、繰出ロ−ル５５の回転による連れ回りを防止しつつ、繰出量調節のための繰出量調節ダイヤル５５ｅの回動操作は可能とする。
【００２１】
施肥装置５の伝動構成は以下のようになっている。即ち、植付施肥クラッチケ−ス２６の施肥駆動軸２６ａに駆動ア−ム２８が一体回転するように取り付けられ、その駆動ア−ム２８の先端部にクランクロッド２９が取り付けられる。そして、そのクランクロッド２９の上端部は、左右に横長の施肥伝動軸５７にワンウエイクラッチ５８・５８を介して外嵌させたボス３０ａに固着するクランクア−ム３０の先端部に連結する。よって、施肥駆動軸２７の回転は、クランクア−ム３０を上下に揺動し、ワンウエイクラッチ５８・５８によりクランクア−ム３０の下動時に施肥伝動軸５７を駆動して、施肥伝動軸５７に間歇回転伝動する。施肥伝動軸５７は、各条繰出装置５１…の左右横並び方向に並行して設けられ、その左右軸端部は、エア−チャンバ−５４の左右両端部に固着されたブラケット５９・５９に設けた軸受メタル５９ａ・５９ａで軸受され、更に、各条繰出装置５１…の繰出ケ−ス−５１’…の後側部とそこに着脱自在に取り付けられた繰出駆動側支持部５１’ｅ…との間に形成される軸受け孔部５１’ｆ…にも回転自在に軸受けされる。また、施肥伝動軸５７には、各条繰出装置５１…の後側位置において繰出ロ−ル軸５５ｆ…のベベルギヤ部５５ｇ…に噛み合うようにベベルギヤ５７ａ…が一体回転するように組み付けられる。よって、施肥伝動軸５７の回転は、ベベルギヤ５７ａ…とベベルギヤ部５５ｇ…の噛み合いにより、各条繰出装置５１…の繰出ロ−ル軸５５ｆ…に伝動し、各条繰出装置５１…の繰出ロ−ル５５…が伝動回転する。５１’ｇ・５１’ｇは、繰出駆動側支持部５１’ｅを繰出ケ−ス５１’に固定するフックである。
【００２２】
尚、繰出装置５１…の繰出作動を停止させたいときは、停止させたい繰出装置５１の繰出量調節側支持部５１’ａを、繰出ロ−ル軸５５ｆの前端部に嵌められている止め輪ＳＲ１を外すことなく前方に引き出す。こうすると、繰出ロ−ル軸５５ｆが一体的に前方に引き出され、繰出ロ−ル軸５５ｆのベベルギヤ部５５ｇが施肥伝動軸５７のベベルギヤ５７ａから非噛み合い状態に離れて、施肥伝動軸５７から繰出ロ−ル軸５５ｆへの伝動が断たれ、その繰出装置５１の繰出作動が停止する（図８参照）。尚、前方に引き出した繰出量調節側支持部５１’ａがコイルスプリングＳＰにより後方に引き戻されないよう係止する手段が講じられている（図９）。即ち、繰出ケ−ス５１’の係合ガイド５１’ｄ・５１’ｄの左右側部に孔７１・７１が設けられ、その孔にスチ−ルボ−ル７２・７２がスプリング７３・７３で付勢された状態で止め輪ＳＲ３・ＳＲ３で止められて押し込まれ、スチ−ルボ−ル７２・７２が孔７１・７１の内側に突出した状態になっている。繰出量調節側支持部５１’ａの係合部５１’ｃ・５１’ｃを係合ガイド５１’ｄ・５１’ｄに後方へスライドさせながら嵌入させると、係合部５１’ｃ・５１’ｃに設けた切欠き部７４・７４・７４・７４にスチ−ルボ−ル７２・７２が係合したとき、繰出量調節側支持部５１’ａは仮固定されるようになっている。切欠き部７４…は、繰出装置５１の繰出作動状態となる個所と繰出停止状態となる個所に繰出量調節側支持部５１’ａが仮固定されるよう設けられている。
【００２３】
よって、以上よりこの施肥田植機は、繰出装置を複数個左右横並びに配設するとともに、各繰出装置内の繰出ロ−ルを機体前後方向に抜き取るための開口部を各繰出装置に設けているので、繰出装置内の繰出ロ−ルを抜き取ってメンテナンスを行うとき、繰出装置の前後の開放された空間へ繰出ロ−ルを抜き取ることになり、その抜取り作業が非常にやりやすくなって、メンテナンス時の作業性が向上する。
【図面の簡単な説明】
【図１】施肥田植機の側面図。
【図２】施肥田植機の平面図。
【図３】施肥田植機の伝動部構成を示す平面図。
【図４】施肥装置の側面図。
【図５】施肥装置の断面側面図。
【図６】施肥装置の断面背面図。
【図７】施肥装置の繰出ロ−ル抜取り状態を示す断面側面図。
【図８】施肥装置の繰出停止状態を示す断面側面図。
【図９】施肥装置の繰出量調節側支持部の係止部構成を示す断面平面図。
【符号の説明】
５：施肥装置
５０：ホッパ−
５１：繰出装置
５５：繰出ロ−ル
５５ａ：繰出溝
５２：肥料移送管（施肥ホ−ス）
５５ｆ：繰出ロ−ル軸
５５ｇ：従動側ギヤ（ベベルギヤ部）
５７ａ：駆動側ギヤ（ベベルギヤ）
ＤＳ：ダストシ−ル
【図１】
0003561931.tif 000002
【図２】
0003561931.tif 000003
【図３】
0003561931.tif 000004
【図４】
0003561931.tif 000005
【図５】
0003561931.tif 000006
【図６】
0003561931.tif 000007
【図７】
0003561931.tif 000008
【図８】
0003561931.tif 000009
【図９】
0003561931.tif 000010